(57)【特許請求の範囲】
【請求項１】
暖房用の温水を循環させる循環路と、該循環路には温水を貯留する大気開放式の膨張タンクと、温水を循環させるポンプと、温水を加熱する熱交換器とを備えた暖房熱源機と、温水の循環により暖房を行う暖房放熱器が前記循環路にて接続された温水暖房装置において、
前記暖房放熱器が前記暖房熱源機よりも、高所に設置されている場合には、該暖房放熱器と該暖房熱源機とを接続する温水循環路を、暖房運転中以外の時は、大気中に開放されない閉回路にする閉回路構築手段を備え、
前記閉回路構築手段は、前記暖房放熱器の前後の、温水循環路の往き側と戻り側それぞれに、電動開閉弁を設けてなり、
前記電動開閉弁は、弁の開度を出力する手段を備えるものであって、暖房運転停止時には、電動開閉弁の閉止を検知した後、循環ポンプの動作を停止させるように構成されている
ことを特徴とした温水暖房装置。
【発明の詳細な説明】
【０００１】
【発明の属する技術分野】
本発明は、循環用温水を貯留するための、大気開放式の膨張タンクを備えた温水暖房装置における暖房放熱器の高所設置方法に関する。
【０００２】
【従来の技術】
従来、大気開放式の膨張タンクを備えた温水暖房装置においては、暖房放熱器の高所設置は、暖房熱源機より５ｍが限界であった。これは暖房放熱器と暖房熱源機との高度差によって、暖房回路内が大気に対して負圧となり、暖房循環ポンプが停止すると同時に低温沸騰によって暖房回路内に気泡が発生して、回路内の暖房水が落水してしまう為である。従って、３階建て住宅等において、居室が５ｍを超える高さにある場合には、暖房放熱器を設置できないという問題点を有していた。
【０００３】
【発明が解決しようとする課題】
そこで本発明では、暖房放熱器と暖房熱源機の高度差が５ｍ以上あるような場合においても、暖房回路内が大気に対して負圧とならず、暖房水が落水しないような温水暖房装置を提供することを課題とする。
【０００４】
【課題を解決するための手段】
本発明は上記課題を解決するために、暖房用の温水を循環させる循環路と、該循環路には温水を貯留する大気開放式の膨張タンクと、温水を循環させるポンプと、温水を加熱する熱交換器とを備えた暖房熱源機と、温水の循環により暖房を行う暖房放熱器が、前記循環路にて接続された温水暖房装置において、前記暖房放熱器が前記暖房熱源機よりも、５ｍ以上高所に設置されている場合には、該暖房放熱器と該暖房熱源機とを接続する温水循環路を、暖房運転中以外は、大気中に開放されない閉回路とする。そして、前記閉回路構築手段として、前記暖房放熱器の前後の、温水循環路の往き側と戻り側それぞれに、電動開閉弁を設けてなるものとする。加えて、前記電動開閉弁として、弁の開度を出力する手段を備えるものとし、暖房運転停止時には、電動開閉弁の閉止を検知した後、循環ポンプの動作を停止させる構成とする。
【０００５】
【発明の実施の形態】
図１は本発明の温水暖房装置の構成を示した図である。
１は暖房熱源機である。暖房熱源機１内には温水循環路２を備えており、温水循環路２内には、温水を貯留する大気開放式の膨張タンク３と、温水を循環させるための循環ポンプ４と、温水を加熱する熱交換器５とが上流側より順に配されている。
【０００６】
６は暖房放熱器である。暖房放熱器６には運転スイッチ７が設けられ、運転スイッチ７の信号は、信号線８によって暖房熱源機１に接続されている。また暖房放熱器６は、温水循環路２によって暖房熱源機１と接続され、暖房回路を形成している。ここで暖房放熱器６と暖房熱源機１との間は図１に示すように高度差が５ｍ以上あるものとする。
【０００７】
暖房放熱器６と暖房熱源機１との間には、開閉弁９が温水循環路２の往き側と戻り側にそれぞれ配されており、開閉弁９の開閉動作は、暖房熱源機１からの制御信号もしくは暖房放熱器６からの運転信号によってなされるものである。
【０００８】
本発明の動作について図３を用いて説明する。
暖房放熱器６の運転スイッチ７をＯＮさせると（Ｓ１）、信号線８を介して暖房熱源機１に伝達され、循環ポンプ４が作動し（Ｓ２）、温水を循環させると共に暖房燃焼が始まり（Ｓ３）、暖房運転が開始される。
【０００９】
暖房運転が開始されると、信号線８を介して開閉弁９に開閉信号が伝わり、開閉弁９が開いて（Ｓ４）、暖房回路内を温水が循環する。
【００１０】
暖房運転を停止する場合は、運転スイッチ７をＯＦＦする（Ｓ５）ことで暖房熱源機１の暖房燃焼が停止する（Ｓ６）。これと同時に信号線８を介して、開閉弁９にも運転停止信号が伝達され、開閉弁９は閉止する（Ｓ７）。
【００１１】
循環ポンプ４は、暖房運転停止より所定時間の経過後、動作を停止し（Ｓ８、Ｓ９）、暖房運転は終了する。
【００１２】
このとき、循環ポンプ４の停止は、所定の時間によらず、開閉弁９の閉止を弁の開度検出機構により検出し、開閉弁９の閉止を検出後に循環ポンプ４を停止させるような動作にしても良い（図４参照）。また、開閉弁９の閉止に時間差をつけ、戻り側配管を先に閉止し、その後、往き側配管を閉止するような制御にすると、より効果的に閉回路内に圧力を閉じこめられる。
【００１３】
図２は温水暖房装置の構成を示した図である。
図１の構成とは、開閉弁９、及びそれに対する信号線８の有無が異なるのみであり、他は図１に示された構成と同じである。
【００１４】
図２の構成では、開閉弁９の代わりに、往き側配管には、暖房放熱器６側から暖房熱源機１側には流れず、逆方向には流れるような逆止弁１０が配置され、戻り側配管には、逆止弁１０と同じ方向の流れを止める方向に配されたパイロット式逆止弁１１が配されている。
【００１５】
パイロット式逆止弁１１のパイロット配管は、逆止弁１０の上流側（暖房熱源機１側）からパイロット圧力を検知している。
【００１６】
図２における暖房運転動作を説明する。
運転スイッチ７をＯＮさせると、信号線８を介して暖房熱源機１に運転信号が伝達され、循環ポンプ４が作動し、温水を循環させると共に暖房燃焼が始まり、暖房運転が開始される。
【００１７】
循環ポンプ４が作動することで、往き側配管には圧力が発生する。この圧力によりパイロット式逆止弁１１は開放され、暖房回路には温水が循環する。
【００１８】
暖房運転を停止する場合は、運転スイッチ７をＯＦＦすることで暖房熱源機１の暖房燃焼が停止する。それと共に循環ポンプ４も作動を停止させるが、このときパイロット式逆止弁１１は、循環ポンプ４が完全に停止する前に、パイロット圧力の低下により逆止弁として働き、戻り側配管の温水の流れを閉止する。
【００１９】
循環ポンプ４の完全停止により、逆止弁１０とパイロット式逆止弁１１は、暖房放熱器６から暖房熱源機１への流れを閉止する。これにより暖房放熱器６を含む温水暖房回路は、圧力を保ったままの状態で閉回路となる。
【発明の効果】
本発明によれば、暖房放熱器を５ｍ以上の高所に設置した場合でも、暖房回路に閉回路構築手段を設け、暖房運転中以外の場合は、暖房回路を閉回路にすることで、暖房回路内が負圧による低温沸騰で落水することを防止できる。また、暖房回路を閉回路とする時に、循環ポンプを動作させたまま閉回路にすることで、暖房回路内の圧力を保持できるため、暖房回路内が負圧にならず、低温沸騰が発生することも防止できる。以上のような構成にしたことにより、従来、設置のできなかった５ｍ以上の高所にも暖房放熱器を設置することが可能となった。
【図面の簡単な説明】
【図１】本発明の請求項２による温水暖房装置の概略構成を示す図
【図２】本発明の請求項３による温水暖房装置の概略構成を示す図
【図３】本発明における暖房運転開始時と停止時のシーケンス図
【図４】本発明の請求項５における暖房運転停止時のシーケンス図
【符号の説明】
１    暖房熱源機
２    温水循環路
４    循環ポンプ
６    暖房放熱器
９    開閉弁
１０  逆止弁
１１  パイロット式逆止弁
【図１】
0003626356.tif 000002
【図２】
0003626356.tif 000003
【図３】
0003626356.tif 000004
【図４】
0003626356.tif 000005